(57)【要約】基地局（ＢＤ）及びユーザ装置（ＵＥ）を含む無線通信システムにおいて、チャネル状態情報（ＣＳＩ）参照信号（ＲＳ）を送信する方法は、ＢＳからＵＥに、第１の複数のＣＳＩ−ＲＳを複数のＣＳＩリソースから成る１つのＣＳＩ−ＲＳリソースセットにおいて送信することを含む。第１の複数のＣＳＩ−ＲＳは、それぞれ、ＣＳＩ−ＲＳリソースを使用して送信される。ＣＳＩ−ＲＳリソースセットは、時間領域又は周波数領域において繰り返される。複数のＣＳＩリソースから成る１つのＣＳＩ−ＲＳリソースセットにおける送信では、第２の複数のＣＳＩ−ＲＳが、繰り返されるそのＣＳＩ−ＲＳリソースセットにおいて送信される。
2020536417.tif 000002
【特許請求の範囲】
【請求項１】
基地局（ＢＤ）及びユーザ装置（ＵＥ）を含む無線通信システムにおいて、チャネル状態情報（ＣＳＩ）参照信号（ＲＳ）を送信する方法において、
前記ＢＳから前記ＵＥに、第１の複数のＣＳＩ−ＲＳを複数のＣＳＩ−ＲＳリソースから成る１つのＣＳＩ−ＲＳリソースセットにおいて送信することを含み、
前記第１の複数のＣＳＩ−ＲＳは、それぞれ、前記ＣＳＩ−ＲＳリソースを使用して送信され、
前記ＣＳＩ−ＲＳリソースセットは、時間領域又は周波数領域において繰り返され、
前記送信することでは、第２の複数のＣＳＩ−ＲＳが、繰り返される前記ＣＳＩ−ＲＳリソースセットにおいて送信される、方法。
【請求項２】
前記ＣＳＩ−ＲＳリソースセットは、セミパーシステントなＣＳＩ−ＲＳ送信又は周期的なＣＳＩ−ＲＳ送信が複数のＣＳＩ−ＲＳの送信に適用される場合に繰り返される、請求項１に記載の方法。
【請求項３】
さらに、
前記ＢＳによって、前記ＣＳＩ−ＲＳリソースセットを指示するリソース設定情報と、前記ＣＳＩ−ＲＳリソースセットが繰り返されることと、を前記ＵＥに通知することを含む、請求項１に記載の方法。
【請求項４】
前記ＵＥは、前記通知されたリソース設定情報を用いて設定され、
前記方法は、さらに、
前記ＵＥによって、前記リソース設定情報に基づいて、前記第１の複数のＣＳＩ−ＲＳ及び前記第２の複数のＣＳＩ−ＲＳを受信することを含む、請求項３に記載の方法。
【請求項５】
さらに、
前記ＵＥによって、前記複数のＣＳＩ−ＲＳリソースの中から選択された少なくとも１つのＣＳＩ−ＲＳリソースを示す少なくとも１つのＣＳＩ−ＲＳリソースインジケータ（ＣＲＩ）を含むＣＳＩ報告を実行することを含む、請求項１に記載の方法。
【請求項６】
前記複数のＣＳＩ−ＲＳリソースは、相互に異なる、請求項１に記載の方法。
【請求項７】
同一のＣＳＩ−ＲＳリソースＩＤを有する前記複数のＣＳＩ−ＲＳリソースから成る前記ＣＳＩ−ＲＳリソースセットは、周期的、セミパーシステント、又は非周期的なものとして設定される、請求項１に記載の方法。
【請求項８】
無線通信システムにおける基地局（ＢＳ）において、
第１の複数のチャネル状態情報（ＣＳＩ）参照信号（ＲＳ）を複数のＣＳＩ−ＲＳリソースから成る１つのＣＳＩ−ＲＳリソースセットにおいて、ＵＥに送信する送信部を具備し、
前記第１の複数のＣＳＩ−ＲＳは、それぞれ、前記ＣＳＩ−ＲＳリソースを使用して送信され、
前記ＣＳＩ−ＲＳリソースセットは、時間領域又は周波数領域において繰り返され、
前記送信部は、第２の複数のＣＳＩ−ＲＳを、繰り返される前記ＣＳＩ−ＲＳリソースセットにおいて送信する、基地局（ＢＳ）。
【請求項９】
前記ＣＳＩ−ＲＳリソースセットは、セミパーシステントなＣＳＩ−ＲＳ送信又は周期的なＣＳＩ−ＲＳ送信が複数のＣＳＩ−ＲＳの送信に適用される場合に繰り返される、請求項８に記載のＢＳ。
【請求項１０】
前記送信部は、前記ＣＳＩ−ＲＳリソースセットを指示するリソース設定情報と、前記ＣＳＩ−ＲＳリソースセットが繰り返されることと、を前記ＵＥに送信する、請求項８に記載のＢＳ。
【請求項１１】
前記複数のＣＳＩ−ＲＳリソースは、相互に異なる、請求項８に記載のＢＳ。
【請求項１２】
同一のＣＳＩ−ＲＳリソースＩＤを有する前記複数のＣＳＩ−ＲＳリソースから成る前記ＣＳＩ−ＲＳリソースセットは、周期的、セミパーシステント、又は非周期的なものとして設定される、請求項８に記載のＢＳ。
【請求項１３】
無線通信システムにおけるユーザ装置（ＵＥ）において、
第１の複数のチャネル状態情報（ＣＳＩ）参照信号（ＲＳ）を複数のＣＳＩ−ＲＳリソースから成る１つのＣＳＩ−ＲＳリソースセットにおいて、基地局（ＢＳ）から受信する受信部を具備し、
前記第１の複数のＣＳＩ−ＲＳは、それぞれ、前記ＣＳＩ−ＲＳリソースを使用して前記ＢＳから送信され、
前記ＣＳＩ−ＲＳリソースセットは、時間領域又は周波数領域において繰り返され、
前記受信部は、第２の複数のＣＳＩ−ＲＳを、繰り返される前記ＣＳＩ−ＲＳリソースセットにおいて受信する、ユーザ装置（ＵＥ）。
【請求項１４】
前記ＣＳＩ−ＲＳリソースセットは、セミパーシステントなＣＳＩ−ＲＳ送信又は周期的なＣＳＩ−ＲＳ送信が複数のＣＳＩ−ＲＳの送信に適用される場合に繰り返される、請求項１３に記載のＵＥ。
【請求項１５】
前記受信部は、前記ＣＳＩ−ＲＳリソースセットを指示するリソース設定情報と、前記ＣＳＩ−ＲＳリソースセットが繰り返されることと、を受信する、請求項１３に記載のＵＥ。
【請求項１６】
前記ＵＥは、前記通知されたリソース設定情報を用いて設定され、
前記受信部は、前記リソース設定情報に基づいて、前記複数のＣＳＩ−ＲＳを受信する、請求項１５に記載のＵＥ。
【請求項１７】
さらに、
前記複数のＣＳＩ−ＲＳリソースの中から選択された少なくとも１つのＣＳＩ−ＲＳリソースを示す少なくとも１つのＣＳＩ−ＲＳリソースインジケータ（ＣＲＩ）を含むＣＳＩ報告を実行する送信部を具備する、請求項１３に記載のＵＥ。
【請求項１８】
前記複数のＣＳＩ−ＲＳリソースは、相互に異なる、請求項１３に記載のＵＥ。
【請求項１９】
同一のＣＳＩ−ＲＳリソースＩＤを有する前記複数のＣＳＩ−ＲＳリソースから成る前記ＣＳＩ−ＲＳリソースセットは、周期的、セミパーシステント、又は非周期的なものとして設定される、請求項１３に記載のＵＥ。
【発明の詳細な説明】
【技術分野】
【０００１】
本明細書において開示される１つ以上の実施形態は、無線通信システムにおけるビーム管理のためにチャネル状態情報（ＣＳＩ）参照信号（ＲＳ）を送信する方法、基地局及びユーザ装置に関する。
【背景技術】
【０００２】
新無線（ＮＲ：Ｎｅｗ  Ｒａｄｉｏ、第５世代（５Ｇ）無線アクセス技術）は、Ｐ１／Ｐ２／Ｐ３ビーム管理（ＢＭ）方式に関する以下の設定をサポートする。
【０００３】
Ｐ１（又は共同Ｐ２及びＰ３）ＢＭ方式では、１つのリソース設定に、ＢＭのための複数のＣＳＩ−ＲＳリソースセットが設定される。リソース設定は、「オン（ＯＮ）」又は「オフ（ＯＦＦ）」にセットされるパラメータ「繰り返し（ｒｅｐｅｔｉｔｉｏｎ）」を含む。ＣＳＩ−ＲＳリソースセット毎に、繰り返しを「オン」にセットする必要がある。繰り返しが「オン」にセットされている場合、ユーザ装置（ＵＥ）は、基地局（ＢＳ）に対して、ＣＳＩ−ＲＳリソースインジケータ（ＣＲＩ）フィードバックのために少なくとも１つのＣＳＩ−ＲＳリソースセットインジケータを報告（ｒｅｐｏｒｔ）する。（１つ又は複数の）セットＩＤを１つのリソース設定内で局所的なものとするか、又はすべてのリソース設定にわたり大域的なものとするかが研究されている。
【０００４】
Ｐ２  ＢＭ方式では、１つのリソースセットが、１つのリソース設定において、繰り返し「オフ」を用いて設定され、ＵＥは、ＢＳに対して、ＣＲＩフィードバックのために、そのリソースセット内の少なくとも１つの局所的なＣＳＩ−ＲＳリソースインジケータを報告する。
【０００５】
Ｐ３  ＢＭ方式では、１つのリソースセットが、リソース設定において、繰り返し「オン」を用いて設定され、ＵＥは、ＣＲＩ関連情報を報告しない。
【０００６】
図１に示すように、Ｐ２  ＢＭ方式では、固定のＲＸビームを用いたＴＸビームスイーピングを実行することができ、それにより、リファインされたＴＸビームを発見することができる。
【０００７】
ＣＳＩ−ＲＳ設定（Ｐ２）では、１つのリソースセットが、１つのリソース設定において、繰り返し「オフ」を用いて設定される。ＵＥは、１つのリソースセット内のすべてのＣＳＩ−ＲＳリソースが、空間的に疑似コロケーション（ＱＣＬ：Ｑｕａｓｉ−Ｃｏ−Ｌｏｃａｔｉｏｎ）されるのではなく、異なるＴＸビームが、そのリソースセット内の異なるＣＳＩ−ＲＳリソースに適用されることを想定する。
【０００８】
図２に示すように、Ｐ３手順では、固定のＴＸビームを用いたＲＸビームスイーピングを実行することができ、それにより、リファインされたＲＸビームを発見することができる。
【０００９】
ＣＳＩ−ＲＳ設定（Ｐ３）では、１つのリソースセットが、１つのリソース設定において、繰り返し「オン」を用いて設定される。ＵＥは、１つのリソースセット内のすべてのＣＳＩ−ＲＳリソースが、空間的にＱＣＬされ、同一のＴＸビームが、そのリソースセット内の異なるＣＳＩ−ＲＳリソースに適用されることを想定する。
【００１０】
図３に示すように、Ｐ１ビーム管理手順では、ＴＸビームスイーピング及びＲＸビームスイーピングを実行することができ、それにより、リファインされたＴＸ／ＲＸビームペアを発見することができる。ＣＳＩ−ＲＳ設定（Ｐ１）要件では、ＴＸビームスイーピング及び固定のＲＸビームによるＴＸビームリファインメント（Ｂｅａｍ  Ｒｅｆｉｎｅｍｅｎｔ）が実現され、ＲＸビームスイーピング及び固定のＴＸビームによるＲＸビームリファインメントが実現され、また繰り返しインジケータ「オン／オフ」の設定が再利用されることになる。
【００１１】
図４Ａ及び図４Ｂは、Ｐ１  ＢＭ方式の一例を示す図であり、ここでは、１つのリソース設定に、複数のＣＳＩ−ＲＳリソースセットが設定されている。図４Ａ及び図４Ｂにおいて、ＴＸ及びＲＸは、それぞれＢＳ及びＵＥであってよい。ＣＳＩ−ＲＳリソースインデックスは、各ＣＳＩ−ＲＳリソースセットにおける各ＴＸビームを特定する。ＣＳＩ−ＲＳリソースセットインデクスは、各ＣＳＩ−ＲＳリソースセットを特定する。Ｐ１  ＢＭでは、図４Ｂに示すように、１つのリソースセット内に、異なるＣＳＩ−ＲＳリソースに対して同一のＴＸビームがある。例えば、図４Ｂの例では、同一の４つのＴＸビーム「ＴｘＢＦ−１」は、ＣＳＩ−ＲＳリソースセット１内にある。同様に、同一の４つのＴＸビーム「ＴｘＢＦ−２」は、ＣＳＩ−ＲＳリソースセット２内にある。ＵＥは、１つのリソースセット内の異なるＣＳＩ−ＲＳリソースに対して異なるＲＸビームを適用し、続いて、１つのリソースセット内でＲＸビームスイーピングを実行する。異なるＴＸビームは、異なるＣＳＩ−ＲＳリソースセットに使用される。ＴＸビームスイーピングは、異なるリソースセットにわたり実行される。ＵＥは、ＣＳＩ−ＲＳリソースインジケータ（ＣＲＩ）フィードバックのために少なくとも１つのＣＳＩ−ＲＳリソースセットインジケータを報告する。
【先行技術文献】
【非特許文献】
【００１２】
【非特許文献１】３ＧＰＰ，ＴＳ３６．２１１  Ｖ１４．４．０
【非特許文献２】３ＧＰＰ，ＴＳ３６．２１３  Ｖ１４．４．０
【発明の概要】
【発明が解決しようとする課題】
【００１３】
図４Ａ及び図４ＢのＰ１  ＢＭ方式では、ＵＥが、１つのＣＳＩ−ＲＳリソースセット内で複数のＲＸビームをスイープする場合がある。その結果、ＵＥの設定は複雑になり、ＵＥによって使用されるビームの数が制限される場合がある。
【課題を解決するための手段】
【００１４】
本発明の１つ以上の実施形態は、ＣＳＩ−ＲＳの単一のセットを、そのセット内の異なるＣＳＩ−ＲＳのための異なるＴＸビームで設定する新規のＣＳＩ−ＲＳ設定に関する。そのようなセットのセミパーシステントな送信によって、ＵＥは、異なるセットに対して異なるＵＥ  ＲＸビームを適用することが可能になる。ＵＥは、予め定義された幾つかの判定基準、例えば最高品質に従い選択したＣＳＩ−ＲＳインデクスを報告する。
【００１５】
本発明の１つ以上の実施形態は、ＢＳ及びＵＥを含む無線通信システムにおいてＣＳＩ−ＲＳを送信する方法に関する。この方法は、ＢＳからＵＥに、第１の複数のＣＳＩ−ＲＳを複数のＣＳＩ−ＲＳリソースから成る１つのＣＳＩ−ＲＳリソースセットにおいて送信することを含む。第１の複数のＣＳＩ−ＲＳは、それぞれ、ＣＳＩ−ＲＳリソースを使用して送信される。ＣＳＩ−ＲＳリソースセットは、時間領域又は周波数領域において繰り返される。複数のＣＳＩ−ＲＳリソースから成る１つのＣＳＩ−ＲＳリソースセットにおける送信では、第２の複数のＣＳＩ−ＲＳが、繰り返されるそのＣＳＩ−ＲＳリソースセットにおいて送信される。
【００１６】
本発明の１つ以上の実施形態は、第１の複数のＣＳＩ−ＲＳを複数のＣＳＩ−ＲＳリソースから成る１つのＣＳＩ−ＲＳリソースセットにおいて、ＵＥに送信する送信部を含む、無線通信システムにおけるＢＳに関する。第１の複数のＣＳＩ−ＲＳは、それぞれ、ＣＳＩ−ＲＳリソースを使用して送信される。ＣＳＩ−ＲＳリソースセットは、時間領域又は周波数領域において繰り返される。送信部は、第２の複数のＣＳＩ−ＲＳを、繰り返されるＣＳＩ−ＲＳリソースセットにおいて送信する。
【００１７】
本発明の１つ以上の実施形態は、第１の複数のＣＳＩ−ＲＳを複数のＣＳＩ−ＲＳリソースから成る１つのＣＳＩ−ＲＳリソースセットにおいて、ＢＳから受信する受信部を含む、無線通信システムにおけるＵＥに関する。第１の複数のＣＳＩ−ＲＳは、それぞれ、ＣＳＩ−ＲＳリソースを使用してＢＳから送信される。ＣＳＩ−ＲＳリソースセットは、時間領域又は周波数領域において繰り返される。受信部は、第２の複数のＣＳＩ−ＲＳを、繰り返されるＣＳＩ−ＲＳリソースセットにおいて受信する。
【００１８】
本発明の１つ以上の実施形態は、ＵＥの複雑性を低減することができ、また、異なるＲＸビームスイーピング能力を有する異なるタイプのＵＥをサポートするための実施順応性を高めることができる。
【００１９】
本発明の別の実施形態及び利点は、以下の説明及び図面より認識されるであろう。
【図面の簡単な説明】
【００２０】
【図１】Ｐ２ビーム管理方式の一例及びＰ２ビーム管理のためのＣＳＩ−ＲＳ設定を示す図である。
【図２】Ｐ３ビーム管理方式の一例及びＰ３ビーム管理のためのＣＳＩ−ＲＳ設定を示す図である。
【図３】Ｐ１ビーム管理方式の一例及びＰ１ビーム管理のためのＣＳＩ−ＲＳ設定を示す図である。
【図４Ａ】Ｐ１ビーム管理方式の一例を示す図である。
【図４Ｂ】Ｐ１ビーム管理のためのＣＳＩ−ＲＳ設定を示す図である。
【図５】本発明の１つ以上の実施形態による無線通信システムの構成を示す図である。
【図６Ａ】本発明の１つ以上の実施形態によるビーム管理方式の一例を示す図である。
【図６Ｂ】本発明の１つ以上の実施形態によるＣＳＩ−ＲＳ設定を示す図である。
【図７】本発明の１つ以上の実施形態によるＢＭ動作を示すシーケンス図である。
【図８Ａ】本発明の別の例の１つ以上の実施形態によるビーム管理方式の一例を示す図である。
【図８Ｂ】本発明の別の例の１つ以上の実施形態によるＣＳＩ−ＲＳ設定を示す図である。
【図９】本発明の１つ以上の実施形態によるｇＮＢの概略的な構成を示す図である。
【図１０】本発明の１つ以上の実施形態によるＵＥの概略的な構成を示す図である。
【発明を実施するための形態】
【００２１】
以下では、図面を参照しながら、本発明の実施形態を詳細に説明する。本発明の実施形態では、本発明がより完全に理解されるよう、多数の特定の詳細を記述する。しかしながら、当業者には、それらの特定の詳細がなくとも本発明を実践できることは明らかであろう。別の例では、発明が不明瞭になることを回避するために、公知の特徴は詳細には説明していない。
【００２２】
図５は、本発明の１つ以上の実施形態による無線通信システム１を示す図である。無線通信システム１は、基地局（ＢＳ）２０、ユーザ装置（ＵＥ）１０、及びコアネットワーク３０を含む。本発明の１つ以上の実施形態において、ＢＳ２０及びＵＥ１０は、それぞれ、送信部（ＴＸ）及び受信部（ＲＸ）と表されてもよい。無線通信システム１は、新無線（ＮＲ：Ｎｅｗ  Ｒａｄｉｏ）システムであってもよい。無線通信システムは、本明細書において説明する特定の構成に限定されるものではなく、任意のタイプの無線通信システム、例えばロングタームエボリューション（ＬＴＥ：Ｌｏｎｇ  Ｔｅｒｍ  Ｅｖｏｌｕｔｉｏｎ）システム又はＬＴＥアドバンスト（ＬＴＥ−Ａ）システムであってもよい。
【００２３】
ＢＳ２０は、ＢＳ２０のセル内で、上りリンク（ＵＬ：ｕｐｌｉｎｋ）信号及び下りリンク（ＤＬ：ｄｏｗｎｌｉｎｋ）信号をＵＥ１０と通信することができる。ＤＬ信号及びＵＬ信号は、制御情報及びユーザデータを含むことができる。ＢＳ２０は、ＤＬ信号及びＵＬ信号を、バックホールリンク３１を介して、コアネットワーク３０と通信することができる。ＢＳ２０は、ＮＲシステムにおけるｇＮｏｄｅＢ（ｇＮＢ）であってもよい。ＢＳ２０は、送信／受信ポイント（ＴＲＰ：Ｔｒａｎｓｍｉｓｓｉｏｎ  ａｎｄ  Ｒｅｃｅｐｔｉｏｎ  Ｐｏｉｎｔ）と表されてもよい。例えば、無線通信システムがＬＴＥシステムである場合、ＢＳ２０は、ｅｖｏｌｖｅｄ  ＮｏｄｅＢ（ｅＮＢ）であってもよい。
【００２４】
ＢＳ２０は、アンテナ、隣接するＢＳ２０と通信するための通信インターフェース（例えば、Ｘ２インターフェース）、コアネットワークと通信するための通信インターフェース（例えば、Ｓ１インターフェース）、及びＵＥ１０に送信する信号並びにＵＥ１０から受信した信号を処理するためのプロセッサ又は回路などの中央処理装置（ＣＰＵ：Ｃｅｎｔｒａｌ  Ｐｒｏｃｅｓｓｉｎｇ  Ｕｎｉｔ）を含む。ＢＳ２０の動作は、メモリに記憶されているデータ及びプログラムを処理又は実行するプロセッサによって実施することができる。しかしながら、ＢＳ２０は、上記のハードウェア構成に限定されるものではなく、当業者によって理解されるような他の適切なハードウェア構成によって実現されてもよい。多数のＢＳ２０が展開され、無線通信システムのより広範なサービスエリアがカバーされてもよい。
【００２５】
ＵＥ１０は、制御情報及びユーザデータを含むＤＬ信号及びＵＬ信号を、多入力・多出力（ＭＩＭＯ）技術を使用して、ＢＳ２０に通信してもよい。ＵＥ１０は、移動局、スマートフォン、携帯電話、タブレット、モバイルルータ、又はウェアラブルデバイスなどの無線通信機能を備えた情報処理装置であってもよい。無線通信システムは、１つ以上のＵＥ１０を含んでもよい。
【００２６】
ＵＥ１０は、プロセッサなどのＣＰＵ、ランダムアクセスメモリ（ＲＡＭ：Ｒａｎｄｏｍ  Ａｃｃｅｓｓ  Ｍｅｍｏｒｙ）、フラッシュメモリ、ＢＳ２０並びにＵＥ１０への／からの無線信号の送信／受信を行う無線通信デバイスを含む。例えば、下記において説明するＵＥ１０の動作は、メモリに記憶されているデータ及びプログラムを処理又は実行するＣＰＵによって実施することができる。しかしながら、ＵＥ１０は、上記のハードウェア構成に限定されるものではなく、例えば下記において説明する処理を達成するための回路で構成されてもよい。
【００２７】
図６Ａ及び図６Ｂは、本発明の１つ以上の実施形態によるＢＭ方式の一例及びＣＳＩ−ＲＳ設定を示す図である。
【００２８】
図６Ａに示すように、ＢＭを実行する前に、ＢＳ２０は、空間的にＱＣＬされたＴｘ、すなわちＴｘＳＱＣＬ−１を使用して信号を送信することができ、ＵＥ１０は、ＲｘＳＱＣＬ−１を使用して信号を受信することができる。ＴｘＳＱＣＬ−１及びＲｘＳＱＣＬ−１は、ビームフォーミングされていない。
【００２９】
本発明の１つ以上の実施形態によるＢＭでは、１つのリソース設定に、単一のＣＳＩ−ＲＳリソースセットを設定することができる。例えば、ＢＳ２０は、１つのＣＳＩ−ＲＳリソースセット内の異なるＣＳＩ−ＲＳリソースに、異なるＴＸビームを使用することができる。ＢＳ２０は、ＴＸビームスイーピングを、１つのＣＳＩ−ＲＳリソースセット内で実行することができる。本発明の１つ以上の実施形態において、ＣＳＩ−ＲＳの送信に使用されるビームは、ＣＳＩ−ＲＳリソースと表してもよい。
【００３０】
本発明の１つ以上の実施形態によれば、ＵＥ１０は、１つのＣＳＩ−ＲＳリソースセット内の異なるＣＳＩ−ＲＳリソースに、同一のＲＸビームを適用する。同一のＣＳＩ−ＲＳリソースセットが複数回繰り返され、ＵＥ１０は、繰り返しの度に異なるＲＸビームを適用する。続いて、ＲＸビームスイーピングを実行することができる。例えば、図６Ｂに示すように、ＢＳ２０がＴＸビームスイーピングを実行すると、ＢＳ２０は、１つのＣＳＩ−ＲＳリソースセット１内で異なるＴｘビーム（例えば、ビームフォーミングされたＴｘビーム、すなわちＴｘＢＦビーム１〜ＴｘＢＦ−４）を使用して、複数のＣＳＩ−ＲＳを送信することができる。ＣＳＩ−ＲＳリソースセット内の各ビームは、ＣＳＩ−ＲＳリソースインデクスに関連付けられる。ＣＳＩ−ＲＳリソースインデクスは、複数あるＣＳＩ−ＲＳの各ＣＳＩ−ＲＳを送信するために使用されるリソースを特定する。ＢＳ２０は、ＣＳＩ−ＲＳリソースセット１内のＴｘＢＦ−１〜ＴｘＢＦ−４を使用して、複数のＣＳＩ−ＲＳを繰り返し送信することができる。したがって、ＣＳＩ−ＲＳリソースセットが、時間領域又は周波数領域において繰り返される。
【００３１】
ＢＭでは、ＵＥ１０が、少なくとも１つのＣＳＩ−ＲＳリソースインデクスを選択し、選択したＣＳＩ−ＲＳリソースインデクスをＣＳＩフィードバックとして報告することができる。ＣＳＩフィードバックは、Ｐ２（又は、必要に応じてＰ３）と同一の情報を含む。図６Ａに示すように、ＢＳ２０及びＵＥ１０は、ＢＭの結果に基づいて、ビームフォーミングされたＴｘＳＱＣＬ−１及びＲｘＳＱＣＬ−１をそれぞれ使用することができる。
【００３２】
図７は、本発明の１つ以上の実施形態によるＢＭ動作を示すシーケンス図である。
【００３３】
図７に示すように、ステップＳ１１において、ＢＳ２０は、無線リソース制御（ＲＲＳ：Ｒａｄｉｏ  Ｒｅｓｏｕｒｃｅ  Ｃｏｎｔｒｏｌ）シグナリングなどの上位レイヤシグナリングを使用して、ＣＳＩ−ＲＳリソースセットを示すリソース設定情報を送信することができる。リソース設定情報は、ＣＳＩ−ＲＳリソースセットが時間領域又は周波数領域において繰り返されることを示す。通知されたリソース設定情報を用いてＵＥ１０を設定することができ、またＵＥ１０は、リソース設定情報に基づいてＣＳＩ−ＲＳを受信することができる。
【００３４】
ステップＳ１２において、ＢＳ２０は、異なるＴｘビーム１〜４を使用して、ＣＳＩ−ＲＳを送信することができる。ＣＳＩ−ＲＳリソースセット１は、複数のＴｘビーム１〜４（ＣＳＩ−ＲＳリソース）から成る。各ＣＳＩ−ＲＳは、Ｔｘビーム１〜４（ＣＳＩ−ＲＳリソース）を使用して送信される。本発明の１つ以上の実施形態において、ＴＸビームの数は４に限定されるものではなく、少なくとも２であってもよい。
【００３５】
ステップＳ１３において、ＵＥ１０は、Ｒｘビーム１を使用して、複数のＣＳＩ−ＲＳを受信することができる。
【００３６】
ステップＳ１４において、ＢＳ２０は、Ｔｘビーム１〜４を使用して、ＣＳＩ−ＲＳを繰り返し送信することができる。ＣＳＩ−ＲＳリソースセット１は、複数のＴｘビーム１〜４（ＣＳＩ−ＲＳリソース）から成る。各ＣＳＩ−ＲＳは、Ｔｘビーム１〜４（ＣＳＩ−ＲＳリソース）を使用して送信される。したがって、ＣＳＩ−ＲＳリソースセット１は、時間領域又は周波数領域において繰り返される。例えば、このようなＣＳＩ−ＲＳリソースセットは、セミパーシステントなＣＳＩ−ＲＳリソース／リソースセット／リソース設定送信又は周期的なＣＳＩ−ＲＳリソース／リソースセット／リソース設定送信が複数のＣＳＩ−ＲＳの送信に適用される場合に繰り返される。
【００３７】
ステップＳ１５において、ＵＥ１０は、Ｒｘビーム２を使用して、各ＣＳＩ−ＲＳを受信することができる。
【００３８】
ステップＳ１５の後に、ＢＳ２０は、Ｔｘビーム１〜４を使用して、ＣＳＩ−ＲＳを１回以上送信してもよい。ＵＥ１０は、別のＲｘビームを使用して、ＢＳ２０からＣＳＩ−ＲＳを受信してもよい。
【００３９】
ＵＥ１０は、Ｔｘビーム１〜４の中から少なくとも１つのＴｘビームを選択することができる。各Ｔｘビームは、ＣＲＩ又はビームインデクス（ＢＩ）によって特定することができる。例えば、ＵＥ１０は、受信したＣＳＩ−ＲＳの受信品質を測定し、測定結果に基づいて、ＣＳＩ報告のために少なくとも１つのＴｘビーム（又はＣＲＩ）を決定することができる。
【００４０】
ステップＳ１６において、ＵＥ１０は、選択した（１つまたは複数の）ＣＲＩを含むＣＳＩ報告をＢＳ２０に対して実行することができる。
【００４１】
したがって、本発明の１つ以上の実施形態によれば、ＢＳ２０は、ＵＥに対して、複数のＣＳＩ−ＲＳリソース（例えば、ＴＸビーム）から成る１つのＣＳＩ−ＲＳリソースセットにおいて複数のＣＳＩ−ＲＳを送信することができる。複数のＣＳＩ−ＲＳリソースを使用して、複数のＣＳＩ−ＲＳをそれぞれ送信することができる。このＣＳＩ−ＲＳリソースセットを時間領域又は周波数領域において繰り返すことができる。ＢＳ２０は、ＵＥに対して、繰り返されるＣＳＩ−ＲＳリソースセットにおいて第２の複数のＣＳＩ−ＲＳを送信することができる。
【００４２】
本発明の１つ以上の実施形態によれば、ＣＳＩ−ＲＳリソースセットは、セミパーシステントなＣＳＩ−ＲＳリソース／リソースセット／リソース設定送信又は周期的なＣＳＩ−ＲＳリソース／リソースセット／リソース設定送信が複数のＣＳＩ−ＲＳの送信に適用される場合に繰り返すことができる。
【００４３】
本発明の１つ以上の実施形態によれば、ＣＳＩ−ＲＳリソースセットにおける各ＣＳＩ−ＲＳリソース（例えば、ＴＸビーム）は相互に異なっていてもよい。換言すれば、ＣＳＩ−ＲＳリソースセットにおける各ＣＳＩ−ＲＳリソースは、異なるＣＳＩ−ＲＳリソースＩＤを有する。
【００４４】
ＣＳＩ−ＲＳリソースセットが繰り返される別の例では、複数のＣＳＩ−ＲＳリソース設定を設定することができ、この場合、各ＣＳＩ−ＲＳリソース設定は、同一のＣＳＩ−ＲＳリソースＩＤから成る。複数のＣＳＩ−ＲＳリソース設定に対して、周期的でセミパーシステントなＣＳＩ−ＲＳリソース／リソースセット／リソース設定送信又は周期的なＣＳＩ−ＲＳリソース／リソースセット／リソース設定送信のいずれかを設定することによって、ＣＳＩ−ＲＳリソースセットの周期的又はセミパーシステントな繰り返しが実現される。複数のＣＳＩ−ＲＳリソース設定に対して、非周期的なＣＳＩ−ＲＳリソース／リソースセット／リソース設定送信を設定することによっても、複数のＣＳＩ−ＲＳリソース設定内でＣＳＩ−ＲＳリソースセットの１回の繰り返しを実現することができる。したがって、同一のＣＳＩ−ＲＳリソースＩＤを有する複数のＣＳＩ−ＲＳリソースから成るＣＳＩ−ＲＳリソースセットを、周期的、セミパーシステント、又は非周期的なものとして設定することができる。
【００４５】
本発明の別の例の１つ以上の実施形態によれば、図８Ａ及び図８Ｂに示すように、１つのリソース設定に、複数のＣＳＩ−ＲＳリソースセットが設定される。異なるＴＸビームが、１つのリソースセット内の異なるＣＳＩ−ＲＳリソースに使用される。１つのリソースセット内でＴＸビームスイーピングを実行することができる。ＵＥ１０は、同一のＲＸビームを、１つのリソースセット内の異なるＣＳＩ−ＲＳリソースに適用する。異なるＲＸビームが、異なるＣＳＩ−ＲＳリソースセットに使用される。異なるリソースセットにわたりＲＸビームスイーピングを実行することができる。本発明の別の例の１つ以上の実施形態によれば、ＵＥ１０は、ＣＲＩフィードバックのために（１つ又は複数の）ＣＳＩ−ＲＳリソースセットインジケータ及び／又はＣＲＩを報告する。単一のリソースセットから同一のＣＲＩを選択できる場合には、ＣＲＩだけの報告で充分としてもよい。複数のリソースセットから同一のＣＲＩが選択される場合には、リソースセットインデクスが必要であってもよい。
【００４６】
本発明の１つ以上の実施形態による方法は、ＵＥの実施複雑性を緩和することができ（より長いＲＸビーム切り替え時間を可能にすることができ）、また異なるＵＥカテゴリをサポートすることができる（ビームスイーピングは、スロット毎のシンボルの＃による制約を受けない）。さらに、本発明の１つ以上の実施形態においては、別のビームスイーピング／選択手順（ＣＲＩのみのフィードバック）としてのより統一された設計及び単純化されたシグナリング設計（繰り返される単一のリソースセット）を提供することができる。
【００４７】
従来の方法は、ＵＥに、ＣＳＩ−ＲＳ時間単位毎にＲＸビームを変更することを要求するので、ＵＥの実施複雑性を増加させ、またハイエンドＵＥにしか適していない。本発明の１つ以上の実施形態は、ＵＥに、ＣＳＩ−ＲＳセット時間単位毎にＲＸビームを変更することしか要求しないので、ＵＥの複雑性を大幅に緩和する。
【００４８】
従来の方法は、時間領域の設定に起因して、ＣＳＩ−ＲＳセット内のＣＳＩ−ＲＳの数を制限する場合がある。例えば、ＣＳＩ−ＲＳセットが、４つの考えられるシンボルを含むスロットであり、かつ各シンボルが１つのＣＳＩ−ＲＳを搬送する場合、このことは、ＵＥに４つの異なるＲＸビームを持つことを許可する。さらに、ネットワークにおいては、異なるＵＥが異なる数のＲＸビームをスイープすることが必要になる場合がある。本発明の実施形態による方法は、異なる数のＣＳＩ−ＲＳセットを設定することによって、ＵＥ  ＲＸビームスイーピングに適応する。セット毎の時間単位は、まさにＣＳＩ−ＲＳの時間単位の上位セットであるので、要求されるビームスイーピング番号が異なる種々のＵＥを適応させるために、セット番号をフレキシブルに変更することは比較的容易である。
【００４９】
従来の方法は、ＣＳＩ−ＲＳセットインデクスの報告を必要とするのに対し、本発明の実施形態による方法は、ＣＳＩ−ＲＳインデクスだけを報告する。本発明の実施形態による方法は、報告の種類に関して、既存のシステム設計と完全に互換性を有している。
【００５０】
（ＢＳの構成）
以下では図８を参照しながら、本発明の１つ以上の実施形態によるＢＳ２０を説明する。図８は、本発明の１つ以上の実施形態によるＢＳ２０の概略的な構成を示す。ＢＳ２０は、複数のアンテナ（アンテナ要素グループ）２０１、アンプ部２０２、トランシーバ（送信部／受信部）２０３、ベースバンド信号処理部２０４、呼処理部２０５、及び伝送路インターフェース２０６を含むことができる。
【００５１】
ＤＬにおいてＢＳ２０からＵＥ２０に送信されるユーザデータは、コアネットワーク３０から、伝送路インターフェース２０６を介して、ベースバンド信号処理部２０４に入力される。
【００５２】
ベースバンド信号処理部２０４においては、信号に対して、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）レイヤ処理、無線リンク制御（ＲＬＣ：Ｒａｄｉｏ  Ｌｉｎｋ  Ｃｏｎｔｒｏｌ）レイヤ送信処理、例えばユーザデータの分割及び結合、ＲＬＣ再送制御送信処理、メディアアクセスコントロール（ＭＡＣ）再送制御、例えばＨＡＲＱ送信処理、スケジューリング、トランスポートフォーマット選択、チャネル符号化、逆高速フーリエ変換（ＩＦＦＴ）処理、及びプリコーディング処理を含む、が行われる。続いて、結果の信号が、各トランシーバ２０３に転送される。ＤＬ制御チャネルの信号に関しては、チャネル符号化及び逆高速フーリエ変換を含む送信処理が実行され、結果の信号が各トランシーバ２０３に伝送される。
【００５３】
ベースバンド信号処理部２０４は、各ＵＥ１０に、上位レイヤシグナリング（例えばＲＲＣシグナリング及びブロードキャストチャネル）によるセル内の通信のための制御情報（システム情報）を通知する。セル内の通信のための情報は、例えばＵＬシステム帯域幅又はＤＬシステム帯域幅を含む。
【００５４】
各トランシーバ２０３においては、アンテナ毎にプリコーディングされてベースバンド信号処理部２０４から出力されたベースバンド信号に対して、無線周波数帯域への周波数変換処理が行われる。アンプ部２０２は、周波数変換が行われた無線周波数信号を増幅し、結果の信号がアンテナ２０１から送信される。
【００５５】
ＵＬにおいてＵＥ１０からＢＳ２０に送信されるデータに関しては、無線周波数信号が各アンテナ２０１において受信され、アンプ部２０２において増幅され、トランシーバ２０３において周波数変換が行われてベースバンド信号に変換され、ベースバンド信号処理部２０４に入力される。
【００５６】
ベースバンド信号処理部２０４は、ＦＦＴ処理、ＩＤＦＴ処理、誤り訂正復号、ＭＡＣ再送制御受信処理、ＲＬＣレイヤ及びＰＤＣＰレイヤ受信処理を、受信したベースバンド信号に含まれるユーザデータに対して実行する。続いて、結果の信号が、伝送路インターフェース２０６を介して、コアネットワーク３０に転送される。呼処理部２０５は、通信チャネルの設定及び解放などの呼処理を実行し、ＢＳ２０の状態を管理し、また無線リソースを管理する。
【００５７】
（ユーザ装置の構成）
以下では図９を参照しながら、本発明の１つ以上の実施形態によるＵＥ１０を説明する。図９は、本発明の１つ以上の実施形態によるＵＥ１０の概略的な構成を示す。ＵＥ１０は、複数のＵＥアンテナ１０１、アンプ部１０２、トランシーバ（送信部／受信部）１０３１を含む回路１０３、制御部１０４、及びアプリケーション部１０５を有する。
【００５８】
ＤＬに関して、ＵＥアンテナ１０１において受信した無線周波数信号は、各アンプ部１０２において増幅され、トランシーバ１０３１において周波数変換されて、ベースバンド信号になる。それらのベースバンド信号に対しては、制御部１０４において、ＦＦＴ処理、誤り訂正復号及び再送制御などの受信処理が行われる。ＤＬユーザデータは、アンプ部１０５に転送される。アプリケーション部１０５は、物理レイヤ及びＭＡＣレイヤより上位のレイヤに関する処理を実行する。下りリンクデータでは、ブロードキャスト情報も、アプリケーション部１０５に転送される。
【００５９】
他方、ＵＬユーザデータは、アプリケーション部１０５から制御部１０４に入力される。制御部１０４においては、再送制御（ハイブリッドＡＲＱ）送信処理、チャネル符号化、プリコーディング、ＤＦＴ処理、ＩＦＦＴ処理などが実行され、結果の信号が、各トランシーバ１０３１に転送される。トランシーバ１０３１においては、制御部１０４から出力されたベースバンド信号が、無線周波数帯域に変換される。その後、周波数変換された無線周波数信号が、アンプ部１０２において増幅され、続いて、アンテナ１０１から送信される。
【００６０】
本発明の１つ以上の実施形態は、ＦＬ  ＤＭ−ＲＳ及び付加的なＤＭ−ＲＳのために使用されてもよい。
【００６１】
本発明の１つ以上の実施形態は、ＣＰ−ＯＦＤＭ上りリンク及び下りリンクのＤＭ−ＲＳのために使用されてもよい。下りリンクに適用される場合、シグナリングに関する技術は、ＤＭ−ＲＳ測定についてのＵＥ仮定に使用してもよい。
【００６２】
本発明の１つ以上の実施形態は、上りリンク及び下りリンクそれぞれに対して独立して使用してもよい。本発明の１つ以上の実施形態は、上りリンク及び下りリンクの両方に対して共通して使用してもよい。上りリンクチャネル及び上りリンク信号を、下りリンク信号チャネル及び下りリンク信号に置き換えてもよい。
【００６３】
本開示では、ＮＲを基礎とするチャネル及びシグナリング方式の例を主に説明したが、本発明はこれらに限定されるものではない。本発明の１つ以上の実施形態は、ＬＴＥ／ＬＴＥ−ＡなどのＮＲと同一の機能を有する別のチャネル並びにシグナリング方式及び新たに定義されるチャネル並びにシグナリング方式に適用してもよい。
【００６４】
上記の例及び修正された例は、相互に組み合わせてもよく、またそれらの例の種々の特徴を様々な組み合わせで相互に組み合わせることができる。本発明は、本明細書に開示した特定の組み合わせに限定されるものではない。
【００６５】
本開示を限定的な数の実施形態に関して説明したが、本開示の利益を有する当業者には、本発明の範囲から逸脱することなく、様々な他の実施形態を考え出せることは明らかであろう。したがって、本発明の範囲は、添付の特許請求の範囲によってのみ限定されるべきである。
【図１】
2020536417.tif 000003
【図２】
2020536417.tif 000004
【図３】
2020536417.tif 000005
【図４Ａ】
2020536417.tif 000006
【図４Ｂ】
2020536417.tif 000007
【図５】
2020536417.tif 000008
【図６Ａ】
2020536417.tif 000009
【図６Ｂ】
2020536417.tif 000010
【図７】
2020536417.tif 000011
【図８Ａ】
2020536417.tif 000012
【図８Ｂ】
2020536417.tif 000013
【図９】
2020536417.tif 000014
【図１０】
2020536417.tif 000015
【国際調査報告】
2020536417.tif 000016
2020536417.tif 000017